(57)【要約】      （修正有）【課題】プロジェクタ用の大光量の光源の光が、第１投影光学系の投影光路を通ってファインダ側へ投影される誤作動を防ぐ。【解決手段】ＬＣＯＳ１７の光学像を投影させる光学系が第１投影光学系と第２投影光学系との間でミラー３１により切り替えられ、ミラー３１による第２投影光学系から第１投影光学系への切り替えに機械的に連動して、連動機構により、光源を第１投影光学系の投影光路から退避させることと、光源が射出する光量を減光する絞りを第１投影光学系の投影光路に配置することの少なくとも一方が実行される。このため、光学像を投影させる光学系の切り替え動作は、プログラムによるＣＰＵ制御ではなく、ミラー３１の切り替えに機械的に連動して行われる。【選択図】図２
2011221268.tif 000002
【特許請求の範囲】
【請求項１】
画像を表示する表示部と、
前記表示部に光を射出する光源と、
前記表示部の光学像をファインダ側へ投影する第１投影光学系と、
前記表示部の光学像をファインダ側と別の方向へ投影する第２投影光学系と、
前記表示部の光学像を投影させる光学系を前記第１投影光学系と前記第２投影光学系との間で切り替える切替部と、
前記切替部による前記第２投影光学系から前記第１投影光学系への切り替えに機械的に連動して、前記光源を前記第１投影光学系の投影光路から退避させることと、前記光源が射出する光量を減光する減光部材を前記第１投影光学系の投影光路に配置することの少なくとも一方を実行する連動機構と
を備える表示装置。
【請求項２】
請求項１に記載の表示装置において、
手動操作に応じて前記第１投影光学系または前記第２投影光学系に切り替える切替スイッチを備え、
前記切替部は、前記切替スイッチの手動操作に連動して、前記表示部の光学像を投影させる光学系を前記第１投影光学系と前記第２投影光学系との間で切り替えることを特徴とする表示装置。
【請求項３】
請求項２に記載の表示装置において、
前記切替スイッチは、前記光源を前記第１投影光学系および前記第２投影光学系の各投影光路から退避させるオフ位置、前記光源を前記第１投影光学系の投影光路に位置させる第１位置、および前記光源を前記第２投影光学系の投影光路に位置させる第２位置に連続的に切り替えられ、前記オフ位置から前記第２位置への切り替えは前記第１位置を介して行われることを特徴とする表示装置。
【請求項４】
請求項１から請求項３のいずれか１項に記載の表示装置において、
前記ファインダは、筐体から突出した使用位置と筐体に収納された収納位置とに移動自在に構成され、
前記切替部は、前記ファインダの移動に連動して、前記表示部の光学像を投影させる光学系を切り替えることを特徴とする表示装置。
【請求項５】
請求項１から請求項４のいずれか１項に記載の表示装置において、
前記切替部により前記第１投影光学系から前記第２投影光学系へ切り替えられた場合、前記光源が射出する光量を所定の時間をかけて所定光量まで増加させる発光制御部を備えることを特徴とする表示装置。
【請求項６】
請求項１から請求項５のいずれか１項に記載の表示装置において、
前記第１投影光学系によって前記ファインダへ投影される光学像の光量を測定する光量センサと、
前記光量センサによって所定値以上の光量が測定されると前記光源の光量を所定値以下に低減させる発光制御部と
を備えることを特徴とする表示装置。
【請求項７】
請求項１から請求項６のいずれか１項に記載の表示装置において、
前記光源は、高輝度の光を射出する高輝度光源および低輝度の光を射出する低輝度光源を備え、
前記連動機構は、前記高輝度光源または前記低輝度光源から前記表示部へ射出される光を遮光する遮光部材を備え、前記切替部による前記第２投影光学系から前記第１投影光学系への切り替えに機械的に連動して前記遮光部材の前記光源に対する相対位置を変化させ、前記高輝度光源から前記表示部へ射出される光を遮光して前記低輝度光源の光を前記表示部へ射出させることで、前記第２投影光学系の投影光路から前記高輝度光源を退避させて前記低輝度光源を前記第１投影光学系の投影光路に位置させることを特徴とする表示装置。
【請求項８】
請求項７に記載の表示装置において、
前記高輝度光源の射出する光が前記遮光部材によって遮光された場合に前記高輝度光源を消灯させる発光制御部を備えることを特徴とする表示装置。
【請求項９】
請求項１から請求項６のいずれか１項に記載の表示装置において、
前記減光部材は、前記光源の光を通過させる開口部の開口量を異ならせられる絞り、または通過する前記光源の光量を減少させるＮＤフィルタから構成され、
前記連動機構は、前記切替部による前記第２投影光学系から前記第１投影光学系への切り替えに機械的に連動して、前記絞りの開口量を小さくする、または前記ＮＤフィルタを前記第１投影光学系の投影光路に配置することを特徴とする表示装置。
【請求項１０】
請求項１から請求項９のいずれか１項に記載の表示装置において、
被写体像を撮像する撮像部と、
前記撮像部により撮像された画像を前記表示部に表示させる表示制御部と
を備えることを特徴とする表示装置。
【発明の詳細な説明】
【技術分野】
【０００１】
本発明は、表示部の光学像をファインダ側またはファインダ側と別の方向へ投影する表示装置に関する。
【背景技術】
【０００２】
従来、この種の表示装置としては、例えば、特許文献１に開示された携帯型電子機器がある。この携帯型電子機器は、光源の発光ダイオード（ＬＥＤ）から射出される光を偏光ビームスプリッタを介して反射型液晶素子（ＬＣＯＳ）に照射し、ＬＣＯＳの画像が偏光ビームスプリッタによって検光されて投影レンズによって投影される。投影レンズによる光学像の投影方向は、第１方向または第２方向へミラーによって切り替えられる。切替ボタンの操作により光学像の投影を行うプロジェクタモードが選択されると、ＣＰＵの制御により、ミラーがプロジェクタ投影窓と投影レンズとの間から退避し、光学像は投影レンズにより第１方向へ投影され、プロジェクタ投影窓を介してスクリーン等に投影される。一方、切替ボタンの操作により被写体の撮影を行う撮影モードが選択されると、ＣＰＵの制御により、ミラーがプロジェクタ投影窓と投影レンズとの間に移動し、光学像はミラーで反射されて投影方向が第２方向へ切り替えられ、ファインダ接眼窓に配置された接眼レンズを介して観察される。
【先行技術文献】
【特許文献】
【０００３】
【特許文献１】特開２００９−２３２１９１号公報
【発明の概要】
【発明が解決しようとする課題】
【０００４】
しかしながら、上記従来の携帯型電子機器では、ミラーを用いて光学像の投影方向を第１方向または第２方向へ切り替える動作がプログラムによりＣＰＵ制御されているため、外来する雑音電波やプログラムのバグ等により、プロジェクタ投影窓を介してスクリーン等に投影される大光量の光がファインダ接眼窓に入射する誤動作が発生するおそれがある。
【課題を解決するための手段】
【０００５】
本発明はこのような課題を解決するためになされたもので、
画像を表示する表示部と、
表示部に光を射出する光源と、
表示部の光学像をファインダ側へ投影する第１投影光学系と、
表示部の光学像をファインダ側と別の方向へ投影する第２投影光学系と、
表示部の光学像を投影させる光学系を第１投影光学系と第２投影光学系との間で切り替える切替部と、
切替部による第２投影光学系から第１投影光学系への切り替えに機械的に連動して、光源を第１投影光学系の投影光路から退避させることと、光源が射出する光量を減光する減光部材を第１投影光学系の投影光路に配置することの少なくとも一方を実行する連動機構と
を備えて、表示装置を構成した。
【０００６】
本構成によれば、表示部の光学像を投影させる光学系が第１投影光学系と第２投影光学系との間で切替部により切り替えられ、切替部による第２投影光学系から第１投影光学系への切り替えに機械的に連動して、連動機構により、光源を第１投影光学系の投影光路から退避させることと、光源が射出する光量を減光する減光部材を第１投影光学系の投影光路に配置することの少なくとも一方が実行される。このため、光学像を投影させる光学系の切り替え動作は、プログラムによるＣＰＵ制御ではなく、切替部の切り替えに機械的に連動して行われるので、第２投影光学系の投影光路を通ってファインダ側と別の方向に投影される光源の光、例えばスクリーンに投影されるプロジェクタ用の大光量の光源の光が、第１投影光学系の投影光路を通ってファインダ側へ投影される誤作動を防ぐことができ、常に使用者の意図通りに切り替えられるようになる。
【０００７】
また、本発明は、手動操作に応じて第１投影光学系または第２投影光学系に切り替える切替スイッチを備え、
切替部が、切替スイッチの手動操作に連動して、表示部の光学像を投影させる光学系を第１投影光学系と第２投影光学系との間で切り替えることを特徴とする。
【０００８】
本構成によれば、表示部の光学像を投影させる光学系は、切替部により、切替スイッチの手動操作に連動して第１投影光学系と第２投影光学系との間で切り替えられる。このため、使用者は、切替スイッチを操作することで、表示部の光学像を投影させる光学系を簡単に切り替えることができる。
【０００９】
また、本発明は、切替スイッチが、光源を第１投影光学系および第２投影光学系の各投影光路から退避させるオフ位置、光源を第１投影光学系の投影光路に位置させる第１位置、および光源を第２投影光学系の投影光路に位置させる第２位置に連続的に切り替えられ、オフ位置から第２位置への切り替えは第１位置を介して行われることを特徴とする。
【００１０】
本構成によれば、光源を第１投影光学系および第２投影光学系の各投影光路から退避させる切替スイッチのオフ位置から、光源を第２投影光学系の投影光路に位置させる第２位置への切り替えは、光源を第１投影光学系の投影光路に位置させる第１位置を介して行われる。このため、切替スイッチがオフ位置から直接第２位置に切り替えられることはないので、ファインダを覗いた状態で切替スイッチを操作した場合に、いきなり切替スイッチが第２位置に切り替わってファインダに大光量の光が入射することのない安全な表示装置が提供される。
【００１１】
また、本発明は、ファインダが、筐体から突出した使用位置と筐体に収納された収納位置とに移動自在に構成され、
切替部が、ファインダの移動に連動して、表示部の光学像を投影させる光学系を切り替えることを特徴とする。
【００１２】
本構成によれば、ファインダの使用位置および収納位置間の移動に連動して、表示部の光学像を投影させる光学系が切替部により切り替えられる。このため、ファインダを移動させる操作に連動して自動的に光学像を投影させる光学系が切り替えられて、操作性が向上する。
【００１３】
また、本発明は、切替部により第１投影光学系から第２投影光学系へ切り替えられた場合、光源が射出する光量を所定の時間をかけて所定光量まで増加させる発光制御部を備えることを特徴とする。
【００１４】
本構成によれば、切替部により第１投影光学系から第２投影光学系へ切り替えられた場合、発光制御部により、光源が射出する光量が所定の時間をかけて所定光量まで増加させられる。このため、ファインダ側と別の方向へ投影する第２投影光学系によって出射される光学像を誰かが覗いた状態で、光学像を投影させる光学系が切替部によって第２投影光学系に切り替えられても、所定の時間をかけて所定光量まで光量が段々と増加するので、目をよけることができる安全な表示装置が提供される。
【００１５】
また、本発明は、第１投影光学系によってファインダへ投影される光学像の光量を測定する光量センサと、
光量センサによって所定値以上の光量が測定されると光源の光量を所定値以下に低減させる発光制御部と
を備えることを特徴とする。
【００１６】
本構成によれば、第１投影光学系によってファインダへ投影される光学像の所定値以上の光量が光量センサによって測定されると、発光制御部によって光源の光量が所定値以下に低減させられる。このため、ファインダへ投影される光学像の光量が常に所定値以下に低減させられるので、安全な表示装置が提供される。
【００１７】
また、本発明は、光源が、高輝度の光を射出する高輝度光源および低輝度の光を射出する低輝度光源を備え、
連動機構が、高輝度光源または低輝度光源から表示部へ射出される光を遮光する遮光部材を備え、切替部による第２投影光学系から第１投影光学系への切り替えに機械的に連動して遮光部材の光源に対する相対位置を変化させ、高輝度光源から表示部へ射出される光を遮光して低輝度光源の光を表示部へ射出させることで、第２投影光学系の投影光路から高輝度光源を退避させて低輝度光源を第１投影光学系の投影光路に位置させることを特徴とする。
【００１８】
本構成によれば、切替部による第２投影光学系から第１投影光学系への切り替えに機械的に連動して、遮光部材の光源に対する相対位置が連動機構によって変化させられ、高輝度光源から表示部へ射出される光が遮光されて、低輝度光源の光が表示部へ射出させられる。この結果、第２投影光学系の投影光路から高輝度光源が退避させられて、低輝度光源が第１投影光学系の投影光路に位置させられる。
【００１９】
また、本発明は、高輝度光源の射出する光が遮光部材によって遮光された場合に高輝度光源を消灯させる発光制御部を備えることを特徴とする。
【００２０】
本構成によれば、高輝度光源の射出する光が遮光部材によって遮光された場合、発光制御部により高輝度光源が消灯させられる。このため、高輝度光源の不使用時には高輝度光源に通電されないので、高輝度光源の点灯により生じる無駄な電力の発生が防げる。
【００２１】
また、本発明は、減光部材が、光源の光を通過させる開口部の開口量を異ならせられる絞り、または通過する光源の光量を減少させるＮＤフィルタから構成され、
連動機構が、切替部による第２投影光学系から第１投影光学系への切り替えに機械的に連動して、絞りの開口量を小さくする、またはＮＤフィルタを第１投影光学系の投影光路に配置することを特徴とする。
【００２２】
本構成によれば、切替部による第２投影光学系から第１投影光学系への切り替えに機械的に連動して、連動機構により、絞りの開口量が小さくさせられ、またはＮＤフィルタが第１投影光学系の投影光路に配置させられる。このため、光源が１個設けられている場合でも、絞りの開口量を小さくしたり、ＮＤフィルタを第１投影光学系の投影光路に配置したりすることにより、光学像の光量の調節が可能なため、光源が複数個設けられる場合に比べて部品点数が少なく、安価な表示装置が提供される。
【００２３】
また、本発明は、被写体像を撮像する撮像部と、
撮像部により撮像された画像を表示部に表示させる表示制御部と
を備えることを特徴とする。
【００２４】
本構成によれば、表示装置が、被写体像を撮像する撮像部、および、撮像部により撮像された画像を表示部に表示させる表示制御部を備えるため、大光量の光源の光がファインダ側へ投影される誤作動を防ぐことができる例えばカメラが提供される。
【発明の効果】
【００２５】
本発明による表示装置によれば、上記のように、光学像を投影させる光学系の切り替え動作は、プログラムによるＣＰＵ制御ではなく、切替部の切り替えに機械的に連動して行われるので、第２投影光学系の投影光路を通ってファインダ側と別の方向に投影される光源の光、例えばスクリーンに投影されるプロジェクタ用の大光量の光源の光が、第１投影光学系の投影光路を通ってファインダ側へ投影される誤作動を防ぐことができ、常に使用者の意図通りに切り替えられるようになる。
【図面の簡単な説明】
【００２６】
【図１】本発明の第１の実施の形態によるデジタルカメラの電気回路構成の概略を示すブロック図である。
【図２】図１に示すデジタルカメラにおける、切替スイッチを動かして光学像の投影光路を切り替える内部機構の構成の概略を示す図である。
【図３】本発明の第２の実施の形態によるデジタルカメラの外観を示す背面斜視図である。
【図４】図３に示すデジタルカメラにおける、ファインダを上下に動かして光学像の投影光路を切り替える内部機構の構成の概略を示す図である。
【図５】本発明の第３の実施の形態によるデジタルカメラに用いられる絞りの平面図である。
【発明を実施するための形態】
【００２７】
次に、本発明による表示装置をデジタルカメラに適用した場合における、本発明を実施するための形態について説明する。
【００２８】
図１は、本発明の第１の実施の形態によるデジタルカメラ１の電気回路構成の概略を示すブロック図である。
【００２９】
デジタルカメラ１は、ＣＰＵ（Central Processing Unit）２、ＥＥＰＲＯＭ（Electrically Erasable Programmable Ｒead Ｏnly Ｍemory）などで構成される不揮発性メモリ３、およびＲＡＭ（Random Access Memory）などで構成されるバッファメモリ４を備えている。不揮発性メモリ３には、ＣＰＵ２が種々の制御を行う際に参照される制御プログラムなどが格納されている。ＣＰＵ２は、不揮発性メモリ３に格納されている制御プログラムに従い、バッファメモリ４を一時記憶作業領域として回路各部の制御を行い、デジタルカメラ１の種々の装置機能を作動させる。
【００３０】
被写体からの光は、レンズ５を介してデジタルカメラ１内に取り込まれる。デジタルカメラ１内に取り込まれた被写体光は、撮像部６の撮像面６ａ上に被写体像を投影する。撮像部６は、ＣＣＤ（Charge Coupled Device）やＣＭＯＳ（Complementary Metal Oxide Semiconductor）などからなり、被写体像を撮像する。撮像部６の撮像面６ａ上に結像した被写体像は、アナログの撮像信号に変換される。変換された撮像信号は、不図示のＡ／Ｄ変換部においてデジタル信号に変換される。画像処理部７は、Ａ／Ｄ変換部でデジタル信号に変換された撮像信号を取得し、取得した撮像信号に対して、ホワイトバランス処理やガンマ補正などの画像処理を行い、撮影された画像の画像データを生成する。画像処理部７によって生成された画像データは、圧縮処理が施されてバッファメモリ４に一時格納されると共に、Ｉ／Ｆ部８を介して、不図示のスロットに着脱されるメモリカード９に記録される。
【００３１】
ＣＰＵ２には不図示のレリーズボタンが接続されている。レリーズボタンは、半押しされるとオートフォーカス機能を作動させてレンズ５を移動させ、全押しされると予め設定されたシャッター速度で不図示のシャッターを開かせ、被写体像を撮像部６の撮像面６ａに所定時間露光させて被写体の撮影を行わせる。ＣＰＵ２は、モニタ１０に、撮像部６の撮像面６ａで撮像される被写体像をスルー画として表示させる。
【００３２】
また、ＣＰＵ２には電流発生部１１ａが接続されており、電流発生部１１ａには大光量光源駆動回路１２ａが接続されている。大光量光源駆動回路１２ａは、駆動用トランジスタ１３ａ、抵抗１４ａ、高輝度光源を構成するＬＥＤ１５ａから構成される。電流発生部１１ａから駆動用トランジスタ１３ａへは大きな値のベース電流が供給され、ＬＥＤ１５ａは通電電流が大きく高輝度の光を射出する。また、駆動用トランジスタ１３ａに供給されるベース電流は、時間の経過と共に所定値まで漸増する波形をしているため、ベース電流の大きさはゆっくりと上昇し、ＬＥＤ１５ａが発光する際にその輝度もゆっくりと所定値まで高まる。また、ＣＰＵ２には、定電流発生部１１ｂが接続されており、定電流発生部１１ｂには小光量光源駆動回路１２ｂが接続されている。小光量光源駆動回路１２ｂは、駆動用トランジスタ１３ｂ、抵抗１４ｂ、低輝度光源を構成するＬＥＤ１５ｂから構成される。これらの小光量光源駆動回路１２ｂを構成する各部品は、大光量光源駆動回路１２ａを構成する各部品と同じ部品である。定電流発生部１１ｂから駆動用トランジスタ１３ｂへは比較的小さな一定の値のベース電流が供給され、ＬＥＤ１５ｂは一定の低輝度の光を射出する。なお、本実施形態では、大光量光源駆動回路１２ａおよび小光量光源駆動回路１２ｂを同じ部品で構成し、各駆動用トランジスタ１３ａ、１３ｂのベースに与えるベース電流の大小によりＬＥＤ１５ａ、１５ｂの発光輝度を異ならせる構成について説明しているが、各抵抗１４ａ、１４ｂの抵抗値をそれぞれ変え、各ＬＥＤ１５ａ、１５ｂを発光特性の異なるものを用いて、各ＬＥＤ１５ａ、１５ｂを高輝度、低輝度に発光させる構成にしてもよい。
【００３３】
また、ＣＰＵ２にはＬＣＯＳ（反射型液晶素子）１７が接続されており、ＣＰＵ２は、撮像部６により撮像された画像をＬＣＯＳ１７に表示させる表示制御部を構成する。画像を表示する表示部を構成するＬＣＯＳ１７は、ＬＥＤ１５ａまたはＬＥＤ１５ｂから射出される光が入射すると、表示する画像の光学像を出射する。この光学像は、デジタルカメラ１に設けられた電子ビューファインダ（ＥＶＦ（Electronic View Finder））や、壁などに掛けられたスクリーン上に投影させることができる。ＬＥＤ１５ａおよびＬＥＤ１５ｂは、ＬＣＯＳ１７に光を射出する光源を構成する。また、ＣＰＵ２には光量センサ１６が接続されている。光量センサ１６は、光源から電子ビューファインダへ出射される光の光路上に設けられる。ＣＰＵ２は、光量センサ１６によって所定値以上の光量が測定されると、光源の光量を所定値以下に低減させる発光制御部を構成する。
【００３４】
図２は、ＬＣＯＳ１７から出射される光学像の投影光路を切り替えるデジタルカメラ１の内部機構の構成の概略を示す図である。
【００３５】
光源を構成するＬＥＤ１５ａ、ＬＥＤ１５ｂは基板２３に実装されており、ＬＥＤ１５ａ、１５ｂから射出された光は、集光レンズ２８により略平行光に変換される。偏光ビームスプリッタ２９は、集光レンズ２８から入射した光の特定の偏光成分のみを通過させる。偏光ビームスプリッタ２９からＬＣＯＳ１７に入射した光は、ＬＣＯＳ１７が表示する画像を投影した光学像として反射され、再び偏光ビームスプリッタ２９に入射する。入射した光学像は、偏光ビームスプリッタ２９で反射して、調節レンズ３０の方向へ進行する。調節レンズ３０は、偏光ビームスプリッタ２９とミラー３１との投影光路の間に配置されており、その光軸方向に沿って移動させられることにより、光学像のサイズが調節される。
【００３６】
切替スイッチ２４は、切替スイッチ操作部材２４ａを移動させる手動操作が行われると、「ＯＦＦ」と表記されるオフ位置、「カメラ」と表記される第１位置、および「プロジェクタ」と表記される第２位置に連続的に切り替えられ、オフ位置から第２位置への切り替えは第１位置を介して行われる。切替スイッチ操作部材２４ａを移動して第１位置の「カメラ」に合わせると、被写体の撮像を行うカメラモードが選択され、第２位置の「プロジェクタ」に合わせると、光学像をスクリーン等に投影するプロジェクタモードが選択される。
【００３７】
切替スイッチ操作部材２４ａは、一端に基板２３を保持し、他端にミラー移動枠３２が設けられた連結部材３６に固定されている。切替スイッチ操作部材２４ａが図の左右方向に移動されると、基板２３に実装されたＬＥＤ１５ａ、１５ｂの遮光部材２５に対する相対位置が移動して、光源の強度が切り替わる。また、切替スイッチ操作部材２４ａが図の左右方向に移動されると、ミラー移動枠３２も連結部材３６の動きに連動して図の左右方向に移動する。ミラー移動枠３２の逆くの字状の枠内に挿入されたピン３３は、この枠に沿って動くことができる。ピン３３は、側面視Ｌ字状のミラー３１の端部を枢支している。また、ミラー３１は、軸３４を介してカメラ筐体２７に支持され、軸３４を中心に、ミラー移動枠３２の左右方向への移動に連動して回動する。従って、切替スイッチ操作部材２４ａが移動されると、ミラー３１が回動して、ＬＣＯＳ１７から出射される光学像の投影方向が切り替わる。
【００３８】
切替スイッチ操作部材２４ａが操作されて、切替スイッチ２４が「ＯＦＦ」から「カメラ」に切り替えられると、図示するように、ミラー３１は、偏光ビームスプリッタ２９から入射する光学像の投影光路に対して４５度傾き、入射した光学像をファインダ用ミラー２２の方向へ反射する。ミラー３１で反射した光学像は、さらにファインダ用ミラー２２で反射して接眼レンズ２１に入射し、使用者は、電子ビューファインダを覗くことによってＬＣＯＳ１７に表示される画像を接眼レンズ２１を介して視認することができる。ここで、ＬＣＯＳ１７から出射される光学像がミラー３１で反射して、電子ビューファインダを覗いた使用者の目に入射するまでに光源から射出された光が通過する、集光レンズ２８、偏光ビームスプリッタ２９、調節レンズ３０、ミラー３１、ファインダ用ミラー２２、および接眼レンズ２１は、ＬＣＯＳ１７の光学像をファインダ側へ投影する第１投影光学系を構成する。また、接眼レンズ２１近傍に設置された光量センサ１６は、第１投影光学系によって電子ビューファインダへ投影される光学像の光量を測定する。
【００３９】
また、切替スイッチ操作部材２４ａがさらに左方に操作されて、切替スイッチ２４が「カメラ」から「プロジェクタ」に切り替えられると、切替スイッチ操作部材２４ａおよび連結部材３６の左方の移動に連動して、基板２３、ミラー移動枠３２、およびピン３３も図の左方向へ動く。この動きにより、ピン３３はミラー移動枠３２の枠内を下降し、ミラー３１は軸３４を中心に時計回りに回動して、ミラー３１の反射面は、偏光ビームスプリッタ２９から入射する光学像の投影光路と平行になる。つまり、ミラー３１は、偏光ビームスプリッタ２９から入射する光学像の投影光路上から退避する。この場合、偏光ビームスプリッタ２９から入射する光学像は、ミラー３１によって反射されず、投影レンズ３５の方向へ直進する。このように直進して投影レンズ３５へ入射した光学像は、スクリーン等に投影される。ここで、ＬＣＯＳ１７から出射される光学像がミラー３１で反射せずに直進してスクリーン等に投影されるまでに光源から射出された光が通過する、集光レンズ２８、偏光ビームスプリッタ２９、調節レンズ３０、および投影レンズ３５は、ＬＣＯＳ１７の光学像をファインダ側と別の方向へ投影する第２投影光学系を構成する。
【００４０】
上記のように、切替スイッチ２４は、手動操作に応じて第１投影光学系または第２投影光学系に切り替える。ミラー３１は、切替スイッチ２４の手動操作に連動して、ＬＣＯＳ１７から出射される光学像を投影させる光学系を第１投影光学系と第２投影光学系との間で切り替える切替部を構成する。
【００４１】
また、遮光部材２５は、ＬＥＤ１５ａまたはＬＥＤ１５ｂからＬＣＯＳ１７へ射出される光を遮光するが、切替スイッチ２４が「ＯＦＦ」の場合、各ＬＥＤ１５ａおよび１５ｂは、遮光部材２５の開口部２５ａに現れない退避位置となる。退避位置にいる各ＬＥＤ１５ａおよびＬＥＤ１５ｂは、電流発生部１１ａおよび定電流発生部１１ｂによって通電が停止され、共に消灯する。また、切替スイッチ操作部材２４ａが操作されて、切替スイッチ２４が「ＯＦＦ」から「カメラ」に切り替えられると、切替スイッチ操作部材２４ａおよび連結部材３６の移動に連動して、基板２３上に実装されたＬＥＤ１５ａおよびＬＥＤ１５ｂは図の左方へ移動し、図示する位置になる。この移動により、低輝度で発光するＬＥＤ１５ｂが、遮光部材２５の開口部２５ａに現れてファインダ用の光源となる。また、切替スイッチ操作部材２４ａが操作されて、切替スイッチ２４が「カメラ」から「プロジェクタ」に切り替えられると、切替スイッチ操作部材２４ａおよび連結部材３６の移動に連動して、基板２３上に実装されたＬＥＤ１５ａおよびＬＥＤ１５ｂは図の左方へさらに移動する。この移動により、高輝度で発光するＬＥＤ１５ａが、遮光部材２５の開口部２５ａに現れてプロジェクタ用の光源となる。ミラー３１により第１投影光学系から第２投影光学系へ切り替えられて、このプロジェクタ用の光源が点灯される際には、発光制御部を構成するＣＰＵ１１により、ＬＥＤ１５ａが射出する光量は所定の時間をかけて所定光量まで増加させられる。また、切替スイッチ操作部材２４ａが操作されて、切替スイッチ２４が「プロジェクタ」から「カメラ」に切り替えられると、遮光部材２５の開口部２５ａに現れていたＬＥＤ１５ａは退避して、ＬＥＤ１５ｂが開口部２５ａに現れ、ＬＥＤ１５ａの射出する光が遮光部材２５によって遮光される。この際、発光制御部を構成するＣＰＵ２の制御により、ＬＥＤ１５ａへの通電が停止させられて、ＬＥＤ１５ａは消灯する。
【００４２】
このように、切替スイッチ２４は、光源を第１投影光学系および第２投影光学系の各投影光路から退避させる「ＯＦＦ」位置、光源を第１投影光学系の投影光路に位置させる「カメラ」の第１位置、および光源を第２投影光学系の投影光路に位置させる「プロジェクタ」の第２位置に連続的に切り替えられる。切替スイッチ操作部材２４ａ、基板２３、連結部材３６、ミラー移動枠３２、およびピン３３は、ミラー３１による第２投影光学系から第１投影光学系への切り替えに機械的に連動して遮光部材２５の光源に対する相対位置を変化させ、高輝度用のＬＥＤ１５ａからＬＣＯＳ１７へ射出される光を遮光して低輝度用のＬＥＤ１５ｂの光をＬＣＯＳ１７へ射出させることで、第２投影光学系の投影光路から高輝度用のＬＥＤ１５ａを退避させて、低輝度用のＬＥＤ１５ｂを第１投影光学系の投影光路に位置させる連動機構を構成する。ここで、基板２３は、引張コイルバネ２６によって図の右方のカメラ筐体２７側へ付勢されている。従って、連動機構が故障しても、高輝度で発光するＬＥＤ１５ａが遮光部材２５の開口部２５ａから遠ざかる方向に付勢され、ＬＥＤ１５ａから射出される大光量の光がファインダに入射することを防ぐことができ、引張コイルバネ２６が安全装置の役割を果たす。
【００４３】
このような本実施形態によるデジタルカメラ１によれば、ＬＣＯＳ１７の光学像を投影させる光学系が第１投影光学系と第２投影光学系との間でミラー３１により切り替えられ、ミラー３１による第２投影光学系から第１投影光学系への切り替えに機械的に連動して、連動機構により、ＬＥＤ１５ａを第１投影光学系の投影光路から退避させることが実行される。本実施形態では、ミラー３１による第２投影光学系から第１投影光学系への切り替えに機械的に連動して、遮光部材２５のＬＥＤ１５ａ、１５ｂに対する相対位置が連動機構によって変化させられ、高輝度で発光するＬＥＤ１５ａからＬＣＯＳ１７へ射出される光が遮光されて、低輝度で発光するＬＥＤ１５ｂの光がＬＣＯＳ１７へ射出させられる。この結果、第２投影光学系の投影光路から高輝度で発光するＬＥＤ１５ａが退避させられて、低輝度で発光するＬＥＤ１５ｂが第１投影光学系の投影光路に位置させられる。このため、光学像を投影させる光学系の切り替え動作は、プログラムによるＣＰＵ制御ではなく、ミラー３１の切り替えに機械的に連動して行われるので、第２投影光学系の投影光路を通ってファインダ側と別の方向にあるスクリーンに投影されるプロジェクタ用の大光量のＬＥＤ１５ａの光が、第１投影光学系の投影光路を通ってファインダ側へ投影される誤作動を防ぐことができ、常に使用者の意図通りに切り替えられるようになる。
【００４４】
また、本実施形態では、ＬＣＯＳ１７の光学像を投影させる光学系は、ミラー３１により、切替スイッチ２４の手動操作に連動して第１投影光学系と第２投影光学系との間で切り替えられる。このため、使用者は、切替スイッチ２４を操作することで、ＬＣＯＳ１７の光学像を投影させる光学系を簡単に切り替えることができる。
【００４５】
また、本実施形態では、ＬＥＤ１５ａ、１５ｂを第１投影光学系および第２投影光学系の各投影光路から退避させる切替スイッチ２４の「ＯＦＦ」位置から、ＬＥＤ１５ａを第２投影光学系の投影光路に位置させる「プロジェクタ」の第２位置への切り替えは、ＬＥＤ１５ｂを第１投影光学系の投影光路に位置させる「カメラ」の第１位置を介して行われる。このため、切替スイッチ２４がオフ位置から直接「プロジェクタ」の第２位置に切り替えられることはないので、ファインダを覗いた状態で切替スイッチ２４を操作した場合に、いきなり切替スイッチ２４が第２位置に切り替わってファインダに大光量の光が入射することのない安全なデジタルカメラ１が提供される。
【００４６】
また、本実施形態では、ミラー３１により第１投影光学系から第２投影光学系へ切り替えられた場合、ＣＰＵ２により、ＬＥＤ１５ａが射出する光量が所定の時間をかけて所定光量まで増加させられる。このため、ファインダ側と別の方向へ投影する第２投影光学系によって出射される光学像を誰かが覗いた状態で、光学像を投影させる光学系がミラー３１によって第２投影光学系に切り替えられても、所定の時間をかけて所定光量まで光量が段々と増加するので、目をよけることができる安全なデジタルカメラ１が提供される。
【００４７】
また、本実施形態では、第１投影光学系によってファインダへ投影される光学像の所定値以上の光量が光量センサ１６によって測定されると、ＣＰＵ２によってＬＥＤ１５ａ、１５ｂへの通電が停止させられて光源の光量が所定値以下に低減させられる。このため、ファインダへ投影される光学像の光量が常に所定値以下に低減させられるので、安全なデジタルカメラ１が提供される。
【００４８】
また、本実施形態では、高輝度で発光するＬＥＤ１５ａの射出する光が遮光部材２５によって遮光された場合、ＣＰＵ２によりＬＥＤ１５ａが消灯させられる。このため、ＬＥＤ１５ａの不使用時にはＬＥＤ１５ａに通電されないので、ＬＥＤ１５ａの点灯により生じる無駄な電力の発生が防げる。
【００４９】
また、本実施形態では、光学像を表示する表示装置が、被写体像を撮像する撮像部６、および、撮像部６により撮像された画像をＬＣＯＳ１７に表示させる表示制御部を構成するＣＰＵ２を備えるため、大光量の光源の光がファインダ側へ投影される誤作動を防ぐことができるデジタルカメラ１が提供される。
【００５０】
なお、本実施形態では、ミラー３１による第２投影光学系から第１投影光学系への切り替えに機械的に連動して、光源を構成するＬＥＤ１５ａおよびＬＥＤ１５ｂを動かして、光学像の光量を調節する構成について説明したが、ミラー３１による第２投影光学系から第１投影光学系への切り替えに機械的に連動して、光源を動かさずに、遮光部材２５を動かして、光学像の光量を調節する構成にしてもよい。
【００５１】
また、本実施形態では、切替スイッチ２４の手動操作に連動して、連動機構によってミラー３１を第１投影光学系と第２投影光学系との間で切り替える構成について説明したが、切替スイッチ２４の手動操作に替えて、ファインダを昇降させる手動操作に連動して、連動機構によってミラー３１を第１投影光学系と第２投影光学系との間で切り替える構成にしてもよい。
【００５２】
図３は、この構成を有する本発明の第２の実施の形態によるデジタルカメラ４１の外観を示す背面斜視図である。
【００５３】
デジタルカメラ４１は、カメラ筐体４２の上面に、デジタルカメラ４１の電源のＯＮ／ＯＦＦを操作する電源ボタン４３が設けられ、その隣に撮影用の不図示のシャッターボタンが設けられている。また、デジタルカメラ４１の背面には、ＴＦＴ（Thin Film Transistor）液晶などから成るモニタ４４が備えられている。このモニタ４４には、構図をとるための被写体像のスルー画や、撮影した画像の再生画、各種の設定を行うためのメニュー画面等が表示される。モニタ４４の右隣には、撮影する被写体像の拡大・縮小を行うズームボタン４５、４６、メニュー画面におけるメニュー項目の選択操作などを行うマルチセレクター４７が設けられている。マルチセレクター４７は、４つの方向キー４７ａとそれらの中央に設けられた決定ボタン４７ｂとから構成されている。方向キー４７ａは、上下左右が押下操作されることによって、モニタ４４に表示されたメニュー画面において使用者が設定したい項目を選択する。決定ボタン４７ｂは、使用者が方向キー４７ａを操作して選択した項目を決定する際に、押下操作される。
【００５４】
被写体像を覗く電子ビューファインダ４８は、ポップアップさせることができ、カメラ筐体４２から突出した使用位置とカメラ筐体４２に収納された収納位置とに移動自在に構成される。ファインダ４８を同図に示すように突出させるとデジタルカメラ４１は撮影を行えるカメラモードとなり、使用者はファインダ４８を覗くことで被写体像を視認できる。一方、使用者が撮影を行わないときにファインダ４８を下降させると、ファインダ４８はデジタルカメラ４１に収納された状態となり、デジタルカメラ４１は光学像を投影するプロジェクタモードになる。
【００５５】
図４は、デジタルカメラ４１のファインダ４８を上下に動かして光学像の投影光路を切り替えるデジタルカメラ４１の内部機構の構成の概略を示す図である。なお、同図において図２と同一または相当する部分には同一符号を付してその説明は省略する。また、デジタルカメラ４１の電気回路構成は図１に示す構成と同様である。
【００５６】
同図は、ファインダ４８がポップアップしている状態を示しており、ミラー３１は、偏光ビームスプリッタ２９から入射する光学像の投影光路に対して４５度傾いている。従って、ミラー３１に入射した光学像は電子ビューファインダ４８の方向へ反射され、使用者は、ファインダ４８の接眼レンズ２１を介して、光学像を視認できる。
【００５７】
一方、使用者が、ファインダ４８を同図の矢印に示す垂直下方の収納位置側へ下降させると、一端に基板２３を斜めに保持する連結部材３６は、連結部材３６の上端に設けられた摺動部３６ａが下方に押されることで、この摺動部３６ａおよび連結部材３６の下端に設けられた摺動部３６ｂが、ファインダ４８およびカメラ筐体４２に設けられた枠４８ａおよび枠４２ａ内をそれぞれ位置Ａから位置Ｂへ斜め左下方に動く。このため、ファインダ４８の下降に連動して連結部材３６は斜め左下方に移動し、基板２３に実装されたＬＥＤ１５ａおよびＬＥＤ１５ｂも斜め左下方に移動する。従って、遮光部材２５の開口部２５ａに現れていた低輝度で発光するＬＥＤ１５ｂは退避して、代わりに高輝度で発光するＬＥＤ１５ａが開口部２５ａに現れる。
【００５８】
また、ファインダ４８の下降に連動して、連結部材３６が斜め左下方に移動することで、連結部材３６に連結されたミラー移動枠３２およびピン３３も斜め左下方に動く。このため、ミラー３１は、軸３４を中心に時計回りに回動して、その反射面が、偏光ビームスプリッタ２９から入射する光学像の投影光路に対して４５度傾いた状態から平行になる。従って、ミラー３１は、偏光ビームスプリッタ２９から入射する光学像の投影光路上から退避され、偏光ビームスプリッタ２９から入射する光学像は、ミラー３１で反射されず、投影レンズ３５の方向へ直進して、スクリーン等に投影される。つまり、ファインダ４８の昇降する移動に連動して連動機構が作用することで、ＬＣＯＳ１７の光学像を投影させる光学系はミラー３１により切り替えられる。
【００５９】
このような本実施形態によるデジタルカメラ４１によれば、上述した第１の実施の形態によるデジタルカメラ１と同様な作用効果が奏されると共に、ファインダ４８の使用位置および収納位置間の移動に連動して、ＬＣＯＳ１７の光学像を投影させる光学系がミラー３１により切り替えられる。このため、ファインダ４８を移動させる操作に連動して自動的に光学像を投影させる光学系が切り替えられて、操作性が向上する。
【００６０】
また、上述した第１および第２の各実施の形態では、ミラー３１による第２投影光学系から第１投影光学系への切り替えに機械的に連動して、光源を構成する高輝度で発光するＬＥＤ１５ａを第１投影光学系の投影光路から退避させて光学像の光量を減光させる構成について説明したが、ミラー３１による第２投影光学系から第１投影光学系への切り替えに機械的に連動して、光源を動かさずに、光源とＬＣＯＳ１７との間の光路上に設置された、光源が射出する光量を減光する減光部材を動かして、光学像の光量を減光させる構成にしてもよい。
【００６１】
図５は、この構成を有する本発明の第３の実施の形態によるデジタルカメラに用いられる、上記の減光部材を構成する絞り６１の平面図である。
【００６２】
絞り６１は、同図に示すように、長方形の板状をしており、２箇所に口径の異なる開口部６２ａ、６２ｂが設けられている。このため、光源を構成するＬＥＤ６３の光を通過させる開口部の開口量を異ならせられる構成になっている。本実施形態では、光源とＬＣＯＳ１７との間の光路上に、遮光部材２５に替えて絞り６１が設置されている。絞り６１は連結部材３６に固定されているため、連結部材３６の移動に連動して左右方向に移動する。また、本実施形態では、光源として、ＬＥＤ１５ａおよびＬＥＤ１５ｂに替えてＬＥＤ６３が基板２３に実装されている。基板２３は、第１および第２の実施形態と異なり、カメラ筐体に対して固定されて連結部材３６には連結されていないため、連結部材３６の移動に連動せず、不動である。
【００６３】
次に、上述した構成を持つ本実施形態によるデジタルカメラの動作について説明する。切替スイッチ２４が「プロジェクタ」に切り替えられ、またはファインダ４８がカメラ筐体４２に収納されて、プロジェクタモードになった場合、絞り６１は、連結部材３６に連動して、同図（ａ）に示すように、ＬＥＤ６３およびＬＣＯＳ１７間の光路に大きな開口部６２ａが位置する。このため、絞り６１の開口量が大きくなり、ＬＥＤ６３からＬＣＯＳ１７へ高輝度な光が射出される。
【００６４】
一方、切替スイッチ２４が「プロジェクタ」から「カメラ」に切り替えられ、カメラモードになった場合、絞り６１は、連結部材３６に連動して、同図（ｂ）に示すように、ＬＥＤ６３およびＬＣＯＳ１７間の光路に小さな開口部６２ｂが位置する。このため、ミラー３１による第２投影光学系から第１投影光学系への切り替えに機械的に連動して、絞り６１の開口量が小さくなり、ＬＥＤ６３からＬＣＯＳ１７へ低輝度な光が射出される。
【００６５】
このような本実施形態によるデジタルカメラ１によれば、ミラー３１による第２投影光学系から第１投影光学系への切り替えに機械的に連動して、連動機構により、絞り６１の開口量が小さくさせられる。このため、光源を構成するＬＥＤ６３が１個設けられている場合でも、絞り６１の開口量を小さくしたり大きくすることにより、光学像の光量の調節が可能なため、第１および第２の実施の形態のように光源が複数個設けられる場合に比べて部品点数が少なく、安価なデジタルカメラが提供される。
【００６６】
なお、本実施形態では、減光部材は、口径の異なる２つの開口部６２ａ、６２ｂを備える絞り６１から構成されたが、口径の等しい２つの開口部を備え、一方の開口部が、通過する光源の光量を減少させるＮＤ（Neutral Density）フィルタで覆われた絞りによって構成してもよい。この構成によれば、ミラー３１による第２投影光学系から第１投影光学系への切り替えに機械的に連動して、連動機構により、ＮＤフィルタが第１投影光学系の投影光路に配置させられる。このため、この構成によっても、光源を構成するＬＥＤ６３が１個設けられている場合でも、ＮＤフィルタを第１投影光学系の投影光路に配置することにより、光学像の光量の調節が可能なため、部品点数が少なく、安価なデジタルカメラが提供される。
【００６７】
また、本実施形態では、光源とＬＣＯＳ１７との間の光路上に設置された絞り６１が口径の異なる２つの開口部６２ａ、６２ｂを備え、この絞り６１を動かして光学像の光量を調節する構成であったが、光源とＬＣＯＳ１７との間の光路上に設置された絞りが開口部を１つ備え、この絞りの開口部の開口量を変化させて、光学像の光量を調節する構成にしてもよい。この構成によっても上述した実施形態と同様な作用効果が奏される。
【００６８】
また、本実施形態では、表示素子として反射型液晶素子のＬＣＯＳ１７を使用したが、透過型液晶や、液晶以外の素子を表示素子として用いて表示装置を構成してもよい。
【００６９】
また、本実施形態では、プロジェクタ用光源の光量はＣＰＵ２により所定の時間をかけて増加させる構成としたが、ＣＰＵ２以外の電子回路によって光量を増加させる構成としてもよい。
【００７０】
また、本実施形態では、ファインダへの光量が光量センサ１６により所定値以上と検出された場合、ＣＰＵ２によって光源への通電を停止させる構成としたが、ＣＰＵ２以外の電子回路によって光源への通電を停止させる構成としてもよい。
【産業上の利用可能性】
【００７１】
上記各実施形態においては、本発明の表示装置をデジタルカメラに適用した場合について説明したが、ビデオカメラや、携帯電話機等に内蔵されるカメラ等のその他の、ファインダおよびプロジェクタ機能を有する表示装置にも適用することが可能である。このような表示装置に本発明を適用した場合においても、上記実施形態と同様な作用効果が奏される。
【符号の説明】
【００７２】
１…デジタルカメラ
２…ＣＰＵ
６…撮像部
１５ａ、１５ｂ、６３…ＬＥＤ
１６…光量センサ
１７…ＬＣＯＳ
２１…接眼レンズ
２２…ファインダ用ミラー
２３…基板
２４…切替スイッチ
２４ａ…切替スイッチ操作部材
２５…遮光部材
２７…カメラ筐体
２８…集光レンズ
２９…偏光ビームスプリッタ  
３０…調節レンズ
３１…ミラー
３３…ピン
３４…軸
３５…投影レンズ
３６…連結部材
４８…ファインダ
６１…絞り
６２ａ、６２ｂ…開口部
【図１】
2011221268.tif 000003
【図２】
2011221268.tif 000004
【図３】
2011221268.tif 000005
【図４】
2011221268.tif 000006
【図５】
2011221268.tif 000007